(57)【特許請求の範囲】
【請求項１】
映像データ及び音声データを含む素材データを記録媒体に記録するデータ記録装置であって、
少なくとも上記映像データ及び上記音声データの撮影に関する位置情報及び撮影に関する時間情報を取得する取得手段と、
少なくとも上記位置情報、上記時間情報及び上記撮影情報の内容種別を示すデータ種別情報を、上記映像データ及び上記音声データとともに撮影情報として上記記録媒体に記録する記録手段とを備え、
上記データ種別は、上記位置情報が被写体の位置であって上記被写体が所持する全地球測位システム受信機を用いて測位された位置情報を上記取得手段が取得したものであるか否かを示す情報を格納すること
を特徴とするデータ記録装置。
【請求項２】
上記データ種別は、上記撮影情報が、上記位置情報として全地球測位システムを用いて測位されたものを含むか否かを示す情報を格納すること
を特徴とする請求項１記載のデータ記録装置。
【請求項３】
上記データ種別は、全地球測位システムを用いて測位された上記位置情報が上記取得手段によって外部から受信したものであるか否かを示す情報を格納すること
を特徴とする請求項１記載のデータ記録装置。
【請求項４】
上記データ種別は、上記撮影情報が、撮影方位を示す方位情報を含むか否かを示す情報を格納すること
を特徴とする請求項１記載のデータ記録装置。
【請求項５】
上記データ種別は、上記撮影情報が、被写体を撮影するための撮影手段のレンズのフォーカス距離情報を含むか否かを示す情報を格納すること
を特徴とする請求項１記載のデータ記録装置。
【請求項６】
上記記録手段は、上記位置情報に対応する対象物の速度を示す速度情報を上記撮影情報として上記映像データ及び上記音声データとともに上記記録媒体に記録すること
を特徴とする請求項１記載のデータ記録装置。
【請求項７】
上記記録手段は、上記位置情報に対応する対象物の進行方向を示す進行方向情報を上記撮影情報として上記映像データ及び上記音声データとともに上記記録媒体に記録すること
を特徴とする請求項１記載のデータ記録装置。
【請求項８】
上記記録手段は、上記時間情報に基づく全世界的に統一された絶対的な現在時刻を示す現在時刻情報を上記撮影情報として上記映像データ及び上記音声データとともに上記記録媒体に記録すること
を特徴とする請求項１記載のデータ記録装置。
【請求項９】
上記記録手段は、上記位置情報の測位計算を行った時刻と、現在時刻との時差を示す測位計算時刻情報を上記撮影情報として上記映像データ及び上記音声データとともに上記記録媒体に記録すること
を特徴とする請求項１記載のデータ記録装置。
【請求項１０】
上記記録手段は、測位された上記位置情報の精度を示す測位精度情報を上記撮影情報として上記映像データ及び上記音声データとともに上記記録媒体に記録すること
を特徴とする請求項１記載のデータ記録装置。
【請求項１１】
上記記録手段は、上記位置情報を測位するために用いた測地系を示す測地系情報を上記撮影情報として上記映像データ及び上記音声データとともに上記記録媒体に記録すること
を特徴とする請求項１記載のデータ記録装置。
【請求項１２】
上記記録手段は、上記取得手段のプリアンプチェック状態を示すアンプチェック情報を上記撮影情報として上記映像データ及び上記音声データとともに上記記録媒体に記録すること
を特徴とする請求項１記載のデータ記録装置。
【請求項１３】
上記記録媒体は、テープ状記録媒体であること
を特徴とする請求項１記載のデータ記録装置。
【請求項１４】
上記記録手段は、上記テープ状記録媒体におけるビデオ補助データ領域に上記撮影情報を格納して記録すること
を特徴とする請求項１３記載のデータ記録装置。
【請求項１５】
映像データ及び音声データを含む素材データを記録媒体に記録するデータ記録方法であって、
少なくとも上記映像データ及び上記音声データの撮影に関する位置情報及び撮影に関する時間情報を取得手段により取得する取得工程と、
少なくとも上記位置情報、上記時間情報及び上記撮影情報の内容種別を示すデータ種別情報を、上記映像データ及び上記音声データとともに撮影情報として記録手段により上記記録媒体に記録する記録工程とを備え、
上記データ種別は、上記位置情報が被写体に設けられた全地球測位システムを用いて測位された上記被写体の位置であって上記取得手段によって上記被写体から受信したものであるか否かを示す情報を格納すること
を特徴とするデータ記録方法。
【発明の詳細な説明】
【０００１】
【発明の属する技術分野】
本発明は、映像データ及び音声データを含む素材データを記録媒体に記録するデータ記録装置及びデータ記録方法に関する。
【０００２】
【従来の技術】
近年、撮影収録等によって得られた映像データ及び音声データ等からなる素材データに関する付加的なデータであるメタデータを作成することが試みられており、ＳＭＰＴＥ（Society of Motion Picture and Television Engineers）において標準化が進められている。具体的には、ＳＭＰＴＥにおいては、コンテンツを示すエッセンス（Essence）、メタデータとエッセンスとを併せたラッパー（Wrapper）等の語義が定義されている。また、ＳＭＰＴＥにおいては、メタデータのデータ構造としてＫＬＶ（Key Length Value）プロトコルや、素材データの識別のために付与されるＵＭＩＤ（Unique Material IDentifier）等が提唱され、さらに、具体的なメタデータ自体を集めたメタデータディクショナリ（Meta Data Dictionary）等が提案され、メタデータに関する標準化の作業が進められている。
【０００３】
【発明が解決しようとする課題】
ところで、素材データの撮影に関する各種情報としては、撮影日時や撮影者といった様々な情報が考えられ、これらの情報を素材データに関するメタデータとして作成することが考えられる。しかしながら、上述したメタデータとしては、被写体を撮影している撮影機器の緯度、経度及び高度で表される位置といった撮影に関する位置情報を記述するフォーマットが存在していなかった。そのため、素材データにおける各シーン毎に撮影場所等を特定することができなかった。
【０００４】
また、カメラレコーダのような撮影及び記録機器は、全地球測位システム（Global Positioning System；以下、ＧＰＳという。）によって自己の位置を測位するための手段を備えていないことから、位置情報を取得することすらできない状況にあった。
【０００５】
さらに、従来の撮影においては、撮影時にテープ状記録媒体の記録履歴の情報を記述することを行っておらず、撮影して得られた素材データが記録されたテープ状記録媒体毎の記録履歴を作成するためには、多くの労力を要するものとなっていた。特に、テープ状記録媒体においては、記録履歴が作成されていない場合には、どのような素材データがどのタイムコードに記録されているかを利用者が把握することができず、当該テープ状記録媒体に記録されている素材データを再利用する際に大きな支障を生じていた。
【０００６】
一方、過去に得られた膨大な素材データの中から特定の素材データを検索したい場合がある。このような検索に資するために、従来においては、素材データのタイトル、撮影場所、撮影日時、テープ状記録媒体ＩＤ（テープＩＤ）、撮影ＩＤといった撮影内容に関する各種情報をラベルに記載して各テープ状記録媒体の外筐に貼付したり、撮影内容を記述したコメント文等を作成していた。すなわち、従来においては、図８に概念を示すように、各素材データが、ラベルやコメント文等のみによって識別されてストックされていた。そして、従来においては、これらのラベルやコメント文等を利用者が参照することにより、素材データの内容を類推したり再生機器を用いて実際に再生し、所望の素材データを特定していた。
【０００７】
しかしながら、従来においては、このような手法を用いた検索を行っていたため、ある一の素材データに対して、異なる日時に同じような場所で撮影が行われた他の素材データが併せて検索されるようなことが起こる状況が多発していた。すなわち、従来においては、ストックされた素材データをラベルやコメント文等を用いて識別することから、同図に示すように、異なる撮影日時であっても同じ撮影場所の素材データが複数存在する可能性があり、このような素材データに対してラベルやコメント文に基づいて検索を行うためには、検索対象とする撮影日時や撮影場所に時間的又は空間的な大きな幅をもって行わなければならなかった。そのため、従来においては、所望の素材データを特定するまでには、多くの労力を要していた。特に、従来においては、特集番組等を作成する際に、過去のライブラリから素材データを集める必要がある場合には、多くの時間と労力を必要としていた。さらに、このような手法を用いた検索においては、例えばいわゆるＨＤＴＶ（High Definition TeleVision）に対応するＨＤＣＡＭフォーマット等の信号が記録されたテープ状記録媒体の中から所望の素材データを特定したい場合には、このテープ状記録媒体を再生するために高価な機材を必要とし、十分に設備を整えることができないのが現状であった。
【０００８】
本発明は、このような実情に鑑みてなされたものであり、撮影に関する情報を素材データに付加し、素材データの有効利用に寄与するデータ記録装置及びデータ記録方法を提供することを目的とするものである。
【０００９】
【課題を解決するための手段】
上述した目的を達成する本発明にかかるデータ記録装置は、映像データ及び音声データを含む素材データを記録媒体に記録するデータ記録装置であって、少なくとも上記映像データ及び上記音声データの撮影に関する位置情報及び撮影に関する時間情報を取得する取得手段と、少なくとも上記位置情報、上記時間情報及び上記撮影情報の内容種別を示すデータ種別情報を、上記映像データ及び上記音声データとともに撮影情報として上記記録媒体に記録する記録手段とを備え、上記データ種別は、上記位置情報が被写体の位置であって上記被写体が所持する全地球測位システム受信機を用いて測位された位置情報を上記取得手段が取得したものであるか否かを示す情報を格納することを特徴としている。
【００１０】
このような本発明にかかるデータ記録装置は、少なくとも取得手段によって取得した撮影に関する位置情報及び時間情報を、記録手段によって映像データ及び音声データとともに撮影情報として記録媒体に記録する。
【００１１】
また、このデータ記録装置は、記録手段によって位置情報及び時間情報を記録媒体に記録する際に、位置情報及び時間情報を記録媒体とは異なる他の記録媒体に記録する他の記録手段を備えることを特徴としている。
【００１２】
このような本発明にかかるデータ記録装置は、記録手段によって記録媒体に記録する位置情報及び時間情報と同じ位置情報及び時間情報を、他の記録手段によって他の記録媒体にも記録する。
【００１３】
また、上述した目的を達成する本発明にかかるデータ記録方法は、映像データ及び音声データを含む素材データを記録媒体に記録するデータ記録方法であって、少なくとも上記映像データ及び上記音声データの撮影に関する位置情報及び撮影に関する時間情報を取得手段により取得する取得工程と、少なくとも上記位置情報、上記時間情報及び上記撮影情報の内容種別を示すデータ種別情報を、上記映像データ及び上記音声データとともに撮影情報として記録手段により上記記録媒体に記録する記録工程とを備え、上記データ種別は、上記位置情報が被写体の位置であって上記被写体が所持する全地球測位システム受信機を用いて測位された位置情報を上記取得手段が取得したものであるか否かを示す情報を格納することを特徴としている。
【００１４】
このような本発明にかかるデータ記録方法は、少なくとも取得した撮影に関する位置情報及び時間情報を、映像データ及び音声データとともに撮影情報として記録媒体に記録する。
【００１５】
また、このデータ記録方法は、記録工程にて位置情報及び時間情報を記録媒体に記録する際に、位置情報及び時間情報を記録媒体とは異なる他の記録媒体に記録する他の記録工程を備えることを特徴としている。
【００１６】
このような本発明にかかるデータ記録方法は、記録媒体に記録する位置情報及び時間情報と同じ位置情報及び時間情報を、他の記録媒体にも記録する。
【００１８】
このような本発明にかかる記録データ構造は、映像データ及び音声データとともに記録媒体に記録する撮影情報として、少なくとも取得した撮影に関する位置情報及び時間情報を備えるものを提案する。
【００１９】
【発明の実施の形態】
以下、本発明を適用した具体的な実施の形態について図面を参照しながら詳細に説明する。
【００２０】
この実施の形態は、本発明にかかるデータ記録装置及びデータ記録方法を、図１に示すように、映像データ及び音声データを含む素材データを撮影して一の記録媒体であるテープ状記録媒体ＴＭに記録し、且つ、テープ状記録媒体ＴＭに記録した素材データを再生することができるカメラレコーダ１０に適用するとともに、このカメラレコーダ１０を備えるデータ記録及び／又は再生（以下、記録再生という。）システムに適用したものである。
【００２１】
このデータ記録再生システムは、カメラレコーダ１０が、全地球測位システム（Global Positioning System；以下、ＧＰＳという。）によって自己の位置を測位して少なくとも撮影に関する位置情報を取得する取得手段たる位置情報取得部２０を有するものであり、少なくとも測位された撮影に関する位置情報及び撮影に関する時間情報を映像データ及び音声データとともにテープ状記録媒体ＴＭに記録するものである。すなわち、データ記録再生システムは、ある日時にある場所で撮影した素材データは一義的にしか存在しないことに着目し、撮影に関する位置情報と撮影に関する時間情報とをテープ状記録媒体ＴＭに記録することにより、素材データの検索を容易且つ確実にするものである。
【００２２】
また、データ記録再生システムは、撮影に関する位置情報と撮影に関する時間情報とをテープ状記録媒体ＴＭに記録する際に、他の記録媒体である半導体記録媒体ＳＭにも位置情報及び時間情報を記録することにより、テープ状記録媒体ＴＭに記録された素材データと半導体記録媒体ＳＭに記録されたデータとの間を関連付け、各種情報の有効利用に供することができるものである。
【００２３】
データ記録再生システムは、同図に示すように、カメラレコーダ１０と、各種情報を処理するコンピュータ装置４０とを備える。
【００２４】
カメラレコーダ１０は、少なくとも撮影に関する位置情報を取得する位置情報取得部２０及び被写体を撮影するための撮影手段たる撮影部３０を搭載する。
【００２５】
位置情報取得部２０は、衛星からの信号を受信する内部アンテナ部２１及び外部アンテナ部２２と、これらの内部アンテナ部２１又は外部アンテナ部２２によって受信した信号に基づいて、カメラレコーダ１０の位置情報を算出する位置算出部２３と、カメラレコーダ１０のレンズ向き（撮影方位）を検出する方位検出手段たる方位センサ２４と、位置算出部２３によって算出されたカメラレコーダ１０の位置情報、方位センサ２４によって検出されたカメラレコーダ１０のレンズ向きを示す方位情報、及び、外部から受信した撮影に関する位置情報、並びに、ＧＰＳを用いて得られる時間情報を集約して混合するデータ混合部２５とを有する。
【００２６】
内部アンテナ部２１は、衛星からの信号を受信し、その信号を位置算出部２３に供給する。また、外部アンテナ部２２も、内部アンテナ部２１と同様に、衛星からの信号を受信し、その信号を位置算出部２３に供給する。
【００２７】
位置算出部２３は、内部アンテナ部２１及び外部アンテナ部２２によって衛星から受信した信号に基づいて、カメラレコーダ１０の位置情報、すなわち、撮影位置を算出する。このとき、位置算出部２３は、緯度、経度及び高度として位置情報を算出する。位置算出部２３は、算出した位置情報をデータ混合部２５に供給する。
【００２８】
方位センサ２４は、例えば地磁気センサなどからなり、カメラレコーダ１０のレンズの向きを検出する。方位センサ２４は、検出した方位情報をデータ混合部２５に供給する。
【００２９】
データ混合部２５は、位置算出部２３から供給された位置情報及び／又は方位センサ２４から供給された方位情報を集約して混合し、後述する記録再生制御部１１に供給する。また、データ混合部２５は、外部の他の機器や被写体が所持するＧＰＳ受信機等によって得られた撮影に関する位置情報を受信することもでき、受信した位置情報を記録再生制御部１１に供給する。なお、外部の他の機器によって得られた撮影に関する位置情報としては、例えば、カメラレコーダ１０を車載して移動撮影するような場合に、ジャイロ等によって得られた情報や車速パルス等を加味して、車両に備えられたＧＰＳ受信機によって得られた位置情報等が考えられる。
【００３０】
このような位置情報取得部２０は、内部アンテナ部２１及び外部アンテナ部２２によって衛星から受信した信号に基づいて、位置算出部２３によってカメラレコーダ１０の位置情報を算出する。また、位置情報取得部２０は、外部の他の機器や被写体が所持するＧＰＳ受信機等によって得られた撮影に関する位置情報を受信することもできる。さらに、位置情報取得部２０は、内部アンテナ部２１及び外部アンテナ部２２によって衛星から受信した信号や外部から受信した信号に基づいて、撮影に関する時間情報を取得する。この時間情報は、ローカルな時刻を示すものではなく、全世界的に統一された絶対的な時刻を示すものである。さらにまた、位置情報取得部２０は、方位センサ２４によってカメラレコーダ１０のレンズ向きも検出する。そして、位置情報取得部２０は、これらの位置情報及び方位情報並びに時間情報をデータ混合部２５によって集約して混合し、後述する記録再生制御部１１に供給する。
【００３１】
撮影部３０は、被写体を撮影するための各種光学系やその他の部材からなり、後述する撮影制御部１３の制御のもとに、撮影して得られた映像データ及び音声データを撮影制御部１３に供給する。また、撮影部３０は、図示しないが、レンズの仰角やフォーカス距離を検出する仰角検出手段及びフォーカス距離検出手段たるセンサを有しており、このセンサによって検出されたレンズの仰角情報及びフォーカス距離情報を撮影制御部１３に供給する。
【００３２】
カメラレコーダ１０は、後述するように、これらの位置情報取得部２０及び撮影部３０によって得られた撮影に関する位置情報、方位情報、時間情報、レンズの仰角情報及びフォーカス距離情報を一連の“撮影情報”としてテープ状記録媒体ＴＭに記録することになる。この撮影情報は、本来であれば、映像データ及び音声データに関する付加的なデータであるメタデータと同じ位置付けをもって定義されるものである。しかしながら、メタデータは、通常、利用者が任意に入力することによって生成するものであるが、撮影情報は、位置情報、方位情報、時間情報、レンズの仰角情報及びフォーカス距離情報といったカメラレコーダ１０によって自動的に取得される情報に基づいて生成されるものであり、利用者の介入を不要とするものである。そこで、ここでは、ＳＭＰＴＥ（Society of Motion Picture and Television Engineers）によってメタデータディクショナリ（Meta Data Dictionary）として定義されているメタデータと区別して扱うものとする。
【００３３】
また、カメラレコーダ１０は、その内部に、テープ状記録媒体ＴＭに対するデータの記録再生に関する制御を行う記録再生制御部１１と、テープ状記録媒体ＴＭが着脱自在とされるテープ状記録媒体記録再生部１２と、撮影に関する制御を行う撮影制御部１３と、例えば薄板状の半導体記録媒体ＳＭが着脱自在とされる半導体記録媒体記録再生部１４と、外部機器に対するデータの送受信を行うインターフェース部１５とを有する。これらの各部のうち、記録再生制御部１１及びテープ状記録媒体記録再生部１２は、記録手段を構成し、撮影制御部１３及び半導体記録媒体記録再生部１４は、他の記録手段を構成するものである。
【００３４】
記録再生制御部１１は、テープ状記録媒体ＴＭに対するデータの記録再生に関する制御を行うものである。具体的には、記録再生制御部１１は、素材データの記録時には、撮影部３０によって撮影され撮影制御部１３によって処理された映像データ及び音声データを所定のフォーマット、例えば、いわゆるＨＤＴＶ（High Definition TeleVision）に対応するＨＤＣＡＭフォーマットに変換し、テープ状記録媒体記録再生部１２に供給する。この際、記録再生制御部１１は、外部から入力される各種メタデータを映像データ及び音声データとともに所定のフォーマットに変換し、テープ状記録媒体記録再生部１２に供給する。なお、このメタデータとしては、図示しない入力部等を介して入力されたもの等が含まれる。記録再生制御部１１は、テープ状記録媒体記録再生部１２を制御して、これらの映像データ及び音声データを含む素材データをテープ状記録媒体ＴＭに記録させる。
【００３５】
また、これと同時に、記録再生制御部１１は、位置情報取得部２０におけるデータ混合部２５から供給される位置情報及び方位情報並びに時間情報と、撮影制御部１３から供給されるレンズの仰角情報及びフォーカス距離情報とに基づいて上述した撮影情報をフィールド単位で完結する形で生成してテープ状記録媒体記録再生部１２に供給し、この撮影情報をテープ状記録媒体ＴＭに記録させる。なお、撮影情報の具体的なデータ構造については後述するものとする。さらに、記録再生制御部１１は、時間情報に基づくタイムコードを、テープ状記録媒体ＴＭにおけるタイムコード領域に記録させる。さらにまた、記録再生制御部１１は、テープ状記録媒体記録再生部１２に装着されたテープ状記録媒体ＴＭに添設されている集積回路チップであってテレファイル（登録商標）と称される非接触型メモリＩＣに記憶されているテープＩＤ番号情報を読み出させ、撮影制御部１３に供給する。また、記録再生制御部１１は、位置情報取得部２０におけるデータ混合部２５から供給される位置情報及び方位情報並びに時間情報を撮影制御部１３に供給する。一方、記録再生制御部１１は、素材データの再生時には、テープ状記録媒体記録再生部１２を制御して、テープ状記録媒体ＴＭに記録されている素材データを再生させ、再生された素材データを撮影制御部１３に供給する。
【００３６】
テープ状記録媒体記録再生部１２は、テープ状記録媒体ＴＭを着脱自在とするものである。テープ状記録媒体記録再生部１２は、記録再生制御部１１の制御のもとに、記録再生制御部１１から供給される素材データ及び上述した撮影情報を含むメタデータを、装着されたテープ状記録媒体ＴＭに記録する。また、テープ状記録媒体記録再生部１２は、記録再生制御部１１の制御のもとに、装着されたテープ状記録媒体ＴＭに記録されている素材データを再生し、記録再生制御部１１に供給する。さらに、テープ状記録媒体記録再生部１２は、記録再生制御部１１の制御のもとに、装着されたテープ状記録媒体ＴＭに添設されている非接触型メモリＩＣに記憶されているテープＩＤ番号情報を読み出し、記録再生制御部１１に供給する。なお、非接触型メモリＩＣは、例えばテープ状記録媒体ＴＭの外筐に貼付されるラベルに組み込まれて構成されるものであり、無線通信機能を有して、外部から受信した情報を記憶するとともに、記憶している情報を送信することができるものである。ここでは、非接触型メモリＩＣは、テープ状記録媒体ＴＭを識別するために付与される固有の識別子であって、例えばテープ状記録媒体ＴＭの製造番号等であるテープＩＤ番号情報を記憶しているものとする。すなわち、テープ状記録媒体記録再生部１２は、非接触型メモリＩＣと無線通信を行うことにより、非接触型メモリＩＣに記憶されているテープＩＤ番号情報を読み出し、記録再生制御部１１に供給する。
【００３７】
撮影制御部１３は、撮影に関する制御を行うものである。具体的には、撮影制御部１３は、素材データの記録時には、撮影部３０を制御して素材データを撮影させる。そして、撮影制御部１３は、撮影部３０から供給される素材データに対して所定の処理を施し、レンズの仰角情報及びフォーカス距離情報とともに記録再生制御部１１に供給する。また、撮影制御部１３は、記録再生制御部１１から供給される位置情報及び時間情報を半導体記録媒体記録再生部１４に供給し、これらの各種情報を、ある素材データを撮影した際の軌跡を示す一の軌跡ファイルとして半導体記録媒体ＳＭに記録させる。なお、撮影制御部１３は、時間情報として、位置情報取得部２０によって取得した現在時刻を示す情報のみならず、テープ状記録媒体ＴＭにタイムコードとして記録されたものと同じ時間情報も軌跡ファイルに記述して半導体記録媒体ＳＭに記録させる。このとき、撮影制御部１３は、撮影開始時及び撮影終了時に相当する位置情報及び時間情報を半導体記録媒体ＳＭに記録させるか、及び／又は、所定時間間隔で位置情報及び時間情報を半導体記録媒体ＳＭに記録させる。さらに、撮影制御部１３は、記録再生制御部１１によって非接触型メモリＩＣから読み出されて供給されたテープＩＤ番号情報を半導体記録媒体記録再生部１４に供給し、このテープＩＤ番号情報を半導体記録媒体ＳＭに記録させる。なお、軌跡ファイルのフォーマット例については後述するものとする。
【００３８】
一方、撮影制御部１３は、素材データの再生時には、テープ状記録媒体記録再生部１２によってテープ状記録媒体ＴＭから再生されて記録再生制御部１１から供給される素材データをインターフェース部１５に供給する。また、撮影制御部１３は、必要に応じて、半導体記録媒体記録再生部１４を制御して半導体記録媒体ＳＭに記録されているデータを再生させ、インターフェース部１５に供給することもできる。
【００３９】
半導体記録媒体記録再生部１４は、半導体記録媒体ＳＭを着脱自在とするものである。半導体記録媒体記録再生部１４は、撮影制御部１３の制御のもとに、撮影制御部１３から供給される位置情報、時間情報及びテープＩＤ番号情報を軌跡ファイルとして、装着された半導体記録媒体ＳＭに記録する。また、半導体記録媒体記録再生部１４は、撮影制御部１３の制御のもとに、半導体記録媒体ＳＭに記録されているデータを再生し、撮影制御部１３に供給する。
【００４０】
インターフェース部１５は、外部機器に対するデータの送受信を行うものである。インターフェース部１５は、素材データを受信可能な外部機器に対して、撮影制御部１３から供給される素材データ及び／又は各種情報を送信する。また、インターフェース部１５は、必要に応じて、外部機器から送信されてくるデータを受信し、撮影制御部１３に供給することもできる。なお、以下では、インターフェース部１５は、例えばＲＳ−２３２Ｃ等に対応するものであって、後述するコンピュータ装置４０に対して、半導体記録媒体ＳＭに記録されているデータを出力するためのものであるとして説明する。
【００４１】
さて、このようなカメラレコーダ１０を備えるデータ記録再生システムは、カメラレコーダ１０によって以下のようにして撮影情報をテープ状記録媒体ＴＭに記録する。
【００４２】
すなわち、データ記録再生システムにおいては、カメラレコーダ１０における撮影部３０によって撮影して得られた映像データ及び音声データが撮影制御部１３を介して記録再生制御部１１に供給される。これと同時に、データ記録再生システムにおいては、位置情報取得部２０によって取得された位置情報及び方位情報並びに時間情報や、撮影部３０によって検出されたレンズの仰角情報及びフォーカス距離情報が記録再生制御部１１に供給される。これらの位置情報、方位情報、時間情報、レンズの仰角情報及びフォーカス距離情報は、フィールド単位で映像データ及び音声データに対応して取得される。
【００４３】
そして、データ記録再生システムにおいては、記録再生制御部１１によって映像データ及び音声データ並びに撮影情報を含むメタデータをＨＤＣＡＭフォーマットに変換し、フィールド単位で完結する形でこのフォーマットにしたがってテープ状記録媒体ＴＭに記録する。具体的には、データ記録再生システムにおいては、ＨＤＣＡＭフォーマットにおけるビデオ補助データ領域（video auxiliary data space）に、撮影情報を含む各種メタデータを格納し、テープ状記録媒体ＴＭに記録する。
【００４４】
ビデオ補助データ領域は、図２に示すように、後段に続くデータがユーザデータであることを示すヘッダを格納する２バイトからなるヘッダ領域ＨＤと、このヘッダ領域ＨＤの後段に設けられ、フィールド内のユーザデータのバイト数を示す２バイトからなるフィールド内データバイト数領域ＦＢＮと、このフィールド内データバイト数領域ＦＢＮの後段に設けられるユーザデータ領域ＵＤとを有する。
【００４５】
ユーザデータ領域ＵＤには、複数のメタデータが各項目毎に格納される。各項目は、メタデータの分類を識別するための１バイトからなるメタデータ分類領域ＭＳと、このメタデータ分類領域ＭＳの後段に設けられ、データのバイト数を示す２バイトからなるデータバイト数領域ＤＢＮと、このデータバイト数領域ＤＢＮの後段に設けられ、データの種類を示す１バイトからなるデータ種類領域ＤＳと、このデータ種類領域ＤＳの後段に設けられ、具体的なデータが格納されるデータ領域Ｄとを有する。
【００４６】
メタデータ分類領域ＭＳは、データ領域Ｄに格納されるメタデータがＳＭＰＴＥによって定義されたものであるかユーザが定義したものであるかを識別する情報を格納する。データバイト数領域ＤＢＮは、データ種類領域ＤＳとデータ領域Ｄとのバイト数を示す情報を格納する。データ種類領域ＤＳは、データ領域Ｄに格納するデータの種類を示す情報を格納する。例えば、データの種類としては、クローズド・キャプション、フィルム・アンシラリデータ、上述した撮影情報、ショットデータ、メタデータといったものが考えられる。データ領域Ｄは、データ種類領域ＤＳに格納される情報に対応したデータを格納する。
【００４７】
ここで、上述した撮影情報は、次表１に示すようなデータ配列にしたがって構成される。
【００４８】
【表１】
0003937832.tif 000002
【００４９】
すなわち、撮影情報は、３２バイトからなり、内訳としては、１バイトからなるデータ種別と、４バイトからなる緯度情報と、４バイトからなる経度情報と、２バイトからなる高度情報と、２バイトからなる速度情報と、２バイトからなる進行方向情報と、８バイトからなる現在時刻情報と、２バイトからなる測位計算時刻情報と、１バイトからなる測位精度情報と、１バイトからなる測地系情報及びアンプチェック情報と、２バイトからなるレンズ方位情報と、２バイトからなるレンズ仰角情報と、１バイトからなるフォーカス距離情報とを有する。
【００５０】
データ種別は、撮影情報の内容種別を示すものであって、１バイト目に記述される。具体的には、データ種別は、０ビット目（bit0）において、ＧＰＳを用いて測位された位置情報を含むか否かを示す値を格納する。
【００５１】
すなわち、データ種別には、ＧＰＳを用いて測位された撮影に関する位置情報を含む場合には、０ビット目（bit0）として“１”が格納され、ＧＰＳを用いて測位された撮影に関する位置情報を含まない場合には、０ビット目（bit0）として“０”が格納される。
【００５２】
また、データ種別は、１ビット目（bit1）において、ＧＰＳを用いて測位された位置情報が外部から受信したものであるか否かを示す値を格納する。すなわち、データ種別には、ＧＰＳを用いて測位された位置情報が外部から受信したものである場合には、１ビット目（bit1）として“１”が格納され、ＧＰＳを用いて測位された位置情報が外部から受信したものでない場合、すなわち、位置情報取得部２０によってカメラレコーダ１０自体の位置情報として算出したものである場合には、１ビット目（bit1）として“０”が格納される。
【００５３】
さらに、データ種別は、２ビット目（bit2）において、ＧＰＳを用いて測位された位置情報がターゲット、すなわち、被写体の位置を示すものであるか否かを示す値を格納する。すなわち、データ種別には、ＧＰＳを用いて測位された位置情報がターゲットの位置を示すものである場合には、２ビット目（bit2）として“１”が格納され、ＧＰＳを用いて測位された位置情報がターゲットの位置を示すものでない場合、すなわち、カメラレコーダ１０自体の位置を示すものである場合には、２ビット目（bit2）として“０”が格納される。
【００５４】
なお、データ種別における１ビット目（bit1）と２ビット目（bit2）との値の組み合わせによって表される位置情報の具体例としては、以下のような状況において得られるものが考えられる。すなわち、データ種別は、１ビット目（bit1）が“０”であり且つ２ビット目（bit2）が“０”である場合には、図３（Ａ）に示すように、カメラレコーダ１０によって映像データ及び音声データを撮影してその場でテープ状記録媒体ＴＭに記録するような状況において、位置情報取得部２０によって算出したカメラレコーダ１０自体の位置情報であることを示すものとなり、これが最も一般的なケースである。また、データ種別は、１ビット目（bit1）が“１”であり且つ２ビット目（bit2）が“１”である場合には、同図（Ｂ）に示すように、カメラレコーダ１０に対して相対的に移動するターゲットＴＧを当該カメラレコーダ１０によって撮影してテープ状記録媒体ＴＭに記録するような状況において、ターゲットＴＧが所持するＧＰＳ受信機Ｒによって得られた位置情報を位置情報取得部２０が受信することによって取得したものであることを示すものとなる。さらに、データ種別は、１ビット目（bit1）が“１”であり且つ２ビット目（bit2）が“０”である場合には、同図（Ｃ）に示すように、カメラレコーダ１０を車載して移動撮影するような状況において、ＧＰＳの他にジャイロや車速パルス等を加味してハイブリッド測位された高精度の位置情報を位置情報取得部２０が受信することによって取得したものであることを示すものとなる。
【００５５】
さらにまた、データ種別は、３ビット目（bit3）において、レンズの方位情報を含むか否かを示す値を格納する。すなわち、データ種別には、カメラレコーダ１０が位置情報取得部２０における方位センサ２４を有するものである場合には、３ビット目（bit3）として“１”が格納され、カメラレコーダ１０が位置情報取得部２０における方位センサ２４を有するものでない場合には、３ビット目（bit3）として“０”が格納される。
【００５６】
また、データ種別は、４ビット目（bit4）において、少なくともフォーカス距離情報を含むか否かを示す値を格納する。すなわち、データ種別には、カメラレコーダ１０が撮影部３０におけるフォーカス距離を検出するセンサを有するものである場合には、４ビット目（bit4）として“１”が格納され、カメラレコーダ１０が撮影部３０におけるフォーカス距離を検出するセンサを有するものでない場合には、４ビット目（bit4）として“０”が格納される。
【００５７】
さらに、データ種別においては、７ビット目（bit7）において、“０”を固定値として格納する。
【００５８】
さらにまた、データ種別は、５ビット目（bit5）及び６ビット目（bit6）が、拡張領域として未定義とされている。なお、データ種別は、４ビット目（bit4）又は５ビット目（bit5）以降のいずれかのビットにおいて、レンズの仰角情報を含むか否かを示す値を格納するようにしてもよい。
【００５９】
次に、緯度情報は、位置情報取得部２０によって取得した撮影に関する位置情報に基づいて記録再生制御部１１によって生成される緯度を示す情報であって、２バイト目乃至５バイト目に記述される。具体的には、緯度情報は、分解能を“０．０１秒”とし、南緯を２の補数表現として示して“＋３２４０００００〜−３２４０００００”までの値を表現することができる。
【００６０】
次に、経度情報は、位置情報取得部２０によって取得した撮影に関する位置情報に基づいて記録再生制御部１１によって生成される経度を示す情報であって、６バイト目乃至９バイト目に記述される。具体的には、経度情報は、分解能を“０．０１秒”として“＋６４８０００００〜−６４８０００００”までの値を表現することができる。なお、経度情報は、西経を示す場合には、２の補数表現として値を格納する。
【００６１】
次に、高度情報は、位置情報取得部２０によって取得した撮影に関する位置情報に基づいて記録再生制御部１１によって生成される高度を示す情報であって、１０バイト目及び１１バイト目に記述される。具体的には、高度情報は、分解能を“１ｍ”として“＋８１９１〜−８１９１”までの値を表現することができる。なお、高度情報は、負の高度を示す場合には、２の補数表現として値を格納する。この負の高度とは、位置情報取得部２０に対応するＧＰＳが測位のために用いている所定の測地座標系を構築する地球楕円体の表面から低い高度を意味するものである。
【００６２】
次に、速度情報は、位置情報取得部２０によって取得した撮影に関する位置情報及び時間情報に基づいて記録再生制御部１１によって生成され、位置情報に対応する対象物の速度を示す情報であって、１２バイト目及び１３バイト目に記述される。具体的には、速度情報は、分解能を“０．１ｋｍ／ｈ”として“０〜＋５１５０”までの値を表現することができる。
【００６３】
次に、進行方向情報は、位置情報取得部２０によって取得した撮影に関する位置情報及び時間情報に基づいて記録再生制御部１１によって生成され、位置情報に対応する対象物の進行方向を示す情報であって、１４バイト目及び１５バイト目に記述される。具体的には、進行方向情報は、分解能を“０．１度”とし、“０”で真北を表現するものとし、右周りに値を増加させることにより、“０〜＋３５９９”までの値を表現することができる。
【００６４】
次に、現在時刻情報は、位置情報取得部２０によって取得した撮影に関する時間情報に基づいて記録再生制御部１１によって生成され、全世界的に統一された絶対的な現在時刻を示す情報であって、１６バイト目乃至２３バイト目に記述される。具体的には、現在時刻情報は、現在時刻を“年、月、日、時、分、秒、曜日”として表現することができる。
【００６５】
次に、測位計算時刻情報は、位置情報取得部２０によって取得した撮影に関する時間情報に基づいて記録再生制御部１１によって生成され、測位計算を行った時刻と、現在時刻との時差を示す情報であって、２４バイト目及び２５バイト目に記述される。具体的には、測位計算時刻情報は、現在時刻との時差を“−分、−秒”として表現することができる。
【００６６】
次に、測位精度情報は、位置情報取得部２０によって取得した撮影に関する位置情報に基づいて記録再生制御部１１によって生成され、測位された位置情報の精度を示す情報であって、２６バイト目に記述される。具体的には、測位精度情報は、０ビット目（bit0）乃至４ビット目（bit4）において、ＤＯＰ値として“１〜３１”までの値を表現することができる。また、測位精度情報は、５ビット目（bit5）及び６ビット目（bit6）において、位置情報を取得するために用いた衛星捕捉数を示す値を測位計算モードとして格納する。すなわち、測位精度情報には、位置情報が０個又は１個の衛星から受信した信号によって求められたものであるため、その値の妥当性はなく無効であることを示す場合には、５ビット目（bit5）及び６ビット目（bit6）として“０”が格納され、位置情報が２個の衛星から受信した信号によって求められたものであることを示す場合には、５ビット目（bit5）及び６ビット目（bit6）として“１”が格納され、位置情報が３個の衛星から受信した信号によって求められたものであることを示す場合には、５ビット目（bit5）及び６ビット目（bit6）として“２”が格納され、位置情報が４個以上の衛星から受信した信号によって求められたものであることを示す場合には、５ビット目（bit5）及び６ビット目（bit6）として“３”が格納される。
【００６７】
次に、測地系情報及びアンプチェック情報は、位置情報取得部２０によって取得した撮影に関する位置情報や位置情報取得部２０の動作チェックを行うことによって取得した情報に基づいて記録再生制御部１１によって生成され、位置情報を測位するために用いた測地系と、位置情報取得部２０のプリアンプチェック状態とを示す情報であって、２７バイト目に記述される。具体的には、測地系情報及びアンプチェック情報は、０ビット目（bit0）及び１ビット目（bit1）において、プリアンプチェック状態として“０，１，２”の値を用いて表現することができる。すなわち、プリアンプチェック状態は、正常な場合には、“０”で表され、断線している場合には、“１”で表され、短絡している場合には、“２”で表される。また、測地系情報及びアンプチェック情報は、２ビット目（bit2）及び６ビット目（bit6）において、“０〜２５”までの値を用いて測地系を表現することができる。測地系としては、例えば、通常のＧＰＳにおいて使用されているいわゆるＷＧＳ（World Geodetic System）−８４座標系や、現在最も正確な測地系とされるＩＴＲＦ（International Terrestrial Reference Frame）座標系等が考えられる。
【００６８】
次に、レンズ方位情報は、位置情報取得部２０における方位センサ２４によって検出したレンズの方位情報に基づいて記録再生制御部１１によって生成されるレンズの向きを示す情報であって、２８バイト目及び２９バイト目に記述される。具体的には、レンズ方位情報は、分解能を“０．１度”とし、“０”で真北を表現するものとし、右周りに値を増加させることにより、“０〜＋３５９９”までの値を表現することができる。なお、このレンズ方位情報は、カメラレコーダ１０が位置情報取得部２０における方位センサ２４を有するものでない場合、すなわち、上述したデータ種別における３ビット目（bit3）が“０”である場合には、格納すべき値が存在しないことになる。この場合、レンズ方位情報は、全てのビットに“０”が格納される。
【００６９】
次に、レンズ仰角情報は、撮影部３０によって検出したレンズの仰角情報に基づいて記録再生制御部１１によって生成されるレンズの仰角を示す情報であって、３０バイト目及び３１バイト目に記述される。具体的には、レンズ仰角情報は、分解能を“０．１度”とし、俯角を２の補数表現として示して“＋９０．０〜−９０．０”までの値を表現することができる。なお、このレンズ仰角情報は、カメラレコーダ１０が撮影部３０に仰角を検出するセンサを有するものでない場合には、格納すべき値が存在しないことになる。この場合、レンズ仰角情報は、全てのビットに“０”が格納される。
【００７０】
最後に、フォーカス距離情報は、撮影部３０によって検出したレンズのフォーカス距離情報に基づいて記録再生制御部１１によって生成されるレンズのフォーカス距離を示す情報であって、３２バイト目に記述される。具体的には、フォーカス距離情報は、分解能を“１ｍ”として“１〜１２７”までの値を表現することができる。なお、このフォーカス距離情報は、カメラレコーダ１０が撮影部３０にフォーカス距離を検出するセンサを有するものでない場合、すなわち、上述したデータ種別における４ビット目（bit4）が“０”である場合には、格納すべき値が存在しないことになる。この場合、フォーカス距離情報は、全てのビットに“０”が格納される。
【００７１】
このような各種データを配列して構成される撮影情報は、上述したように、利用者の入力に基づくデータから構成されるものではなく、位置情報取得部２０及び撮影部３０によって自動的に取得及び検出された情報に基づいて記録再生制御部１１によって生成されるものであり、素材データの内容を示すのに必要な情報のみを集めて構成されるものである。データ記録再生システムにおいては、このような撮影情報を、カメラレコーダ１０における記録再生制御部１１により、映像データ及び音声データ並びにメタデータとともに、フィールド単位で完結する形でこのフォーマットにしたがってテープ状記録媒体ＴＭに記録する。また、撮影情報は、ＨＤＣＡＭフォーマットの信号を伝送するための規格であって、ＳＭＰＴＥ−２９２Ｍによって規格化されているＨＤ−ＳＤＩ（High Definition - Serial Digital Interface）フォーマットによって素材データを伝送する際に、ＨＤ−ＳＤＩフォーマットにおける垂直アンシラリデータ領域（vertical ancillary data space）に設けられるビデオ補助データ領域（video auxiliary data space）にそのまま格納されるように、ビデオ補助データ領域の最小バイト数に合致する３２バイトから構成される。そのため、データ記録再生においては、テープ状記録媒体ＴＭに記録された撮影情報を再生して伝送する場合にも、カメラレコーダ１０によって撮影情報を再構築して新たなデータ構成とするような変換処理を行うことなく素材データとともに撮影情報を伝送することができ、処理の簡略化及び負担の軽減を図ることができる。
【００７２】
データ記録再生システムにおいては、このような撮影情報をテープ状記録媒体ＴＭに記録することにより、利用者は、膨大な素材データの中から特定の素材データを検索する場合であっても、容易且つ確実に所望の素材データを検索することができる。すなわち、データ記録再生システムによって記録された各素材データは、図４に概念を示すように、錐体の中心軸を時間軸とし、この時間軸に直交する各断面をある時間において少なくとも緯度及び経度で表される位置空間と捉えると、当該錐体が占める３次元空間内の一点として表現することができる。より換言すれば、データ記録再生システムは、特定の素材データを検索する場合に、テープ状記録媒体ＴＭに記録されている撮影情報が参照されることにより、同図中黒丸で表されるように、過去の特定の日時及び場所において撮影して生成した素材データを一義的に導き出すことを可能とする。
【００７３】
なお、データ記録再生システムは、特定の素材データを検索する場合に、テープ状記録媒体ＴＭに記録されている撮影情報が参照されることにより、同図中斜線部で示す一断面で表されるように、利用者が、撮影場所に拘泥せずに、過去の特定の日時に撮影して生成した全ての素材データを検索することも可能とする。また、データ記録再生システムは、特定の素材データを検索する場合に、テープ状記録媒体ＴＭに記録されている撮影情報が参照されることにより、同図中斜線部で示す側壁の一部で表されるように、利用者が、撮影日時に拘泥せずに、過去の特定の場所で撮影して生成した素材データの全てを検索することも可能とする。勿論、データ記録再生システムは、上述したテープＩＤ番号情報や、ＳＭＰＴＥ（Society of Motion Picture and Television Engineers）−３３０ＭにおいてＵＭＩＤ（Unique Material IDentifier）として提唱されている識別子によって素材データとメタデータとを関連付けることもでき、利用者が特定の素材データを検索する場合に、メタデータが参照されることにより、撮影分類毎の検索を行うことも可能とする。なお、図４においては、緯度及び経度で位置空間を表しているが、高度情報をも考慮した位置空間として表すことも可能である。
【００７４】
このように、データ記録再生システムは、ある日時にある場所で撮影した素材データは一義的にしか存在しないことに着目し、撮影に関する位置情報及び時間情報をテープ状記録媒体ＴＭに記録することができる。したがって、利用者は、データ記録再生システムによって記録された素材データをストックすることにより、過去に撮影されてストックされている素材データの中から特定の素材データを検索する際には、検索対象とする幅をフィールド単位にまで限定することができ、従来のラベルやコメント文に基づく検索に比べ、大幅に容易且つ確実に検索することができる。また、データ記録再生システムは、撮影情報として、位置情報及び時間情報のみならず、レンズの方位情報、仰角情報及びフォーカス距離情報をもテープ状記録媒体ＴＭに記録することにより、利用者、撮影場所に限らず、カメラレコーダ１０から見た被写体の方向や距離等を把握することできる。さらに、データ記録再生システムは、撮影情報として、速度情報や進行方向情報、測位精度情報等もテープ状記録媒体ＴＭに記録することにより、利用者は、撮影時の状況も容易に把握することができる。
【００７５】
さて、データ記録再生システムは、上述したように、カメラレコーダ１０によってテープ状記録媒体ＴＭに記録した位置情報及び時間情報を軌跡ファイルとして半導体記録媒体ＳＭにも記録し、テープ状記録媒体ＴＭに記録された素材データと半導体記録媒体ＳＭに記録されたデータとの間を関連付け、テープ状記録媒体ＴＭ毎の記録履歴を作成することができる。すなわち、データ記録再生システムは、カメラレコーダ１０によって撮影開始時及び撮影終了時、及び／又は、所定時間間隔で位置情報及び時間情報を半導体記録媒体ＳＭに記録することにより、ある素材データの撮影軌跡を示す軌跡ファイルを作成する。軌跡ファイルは、例えば図５に示すようなフォーマットを有するものが考えられる。なお、同図においては、撮影開始から撮影終了までを“５分１０秒乃至１５秒”間隔で位置情報及び時間情報を記述することによって作成した軌跡ファイルを示している。
【００７６】
すなわち、軌跡ファイルには、同図中１行目及び２行目に示すように、ヘッダ情報が記述される。ヘッダ情報は、例えば、カメラレコーダ１０のベンダ名、カメラレコーダ１０の機種名、当該軌跡ファイルのタイトル名、当該軌跡ファイルのファイル名、及び、当該軌跡ファイルに対するサブヘッダが別ファイルとして存在する場合には、そのリンクファイルのファイル名であるサブヘッダリンクファイル名等からなる。
【００７７】
軌跡ファイルは、このようなヘッダ情報に続いて、各時間毎の位置情報及び時間情報が記述される。
【００７８】
まず、軌跡ファイルには、同図中３行目乃至５行目に示すように、撮影開始時における位置情報及び時間情報が記述される。具体的には、軌跡ファイルには、同図中３行目に示すように、現在日付が“２０００／０７／２１／５”といったように“年／月／日／曜日”として記述される。なお、曜日を示す“５”は、例えば“金曜日”であることを示している。また、軌跡ファイルには、この現在日付に続いて、現在時刻が“０９：０５：１５＋０９：００”といったように“時：分：秒＋時差”として記述される。なお、これらの現在日付及び現在時刻は、テープ状記録媒体ＴＭに撮影情報として記録されるものと同じものである。さらに、記述ファイルには、位置情報が“＋３５．６３３５０，＋１３９．７６５９７，＋０００５１”といったように“緯度，経度，高度”として記述される。勿論、これらの位置情報も、テープ状記録媒体ＴＭに撮影情報として記録されるものと同じものである。さらにまた、軌跡ファイルには、同図中４行目に示すように、“ＳＴＡＲＴ  ＰＯＩＮＴ  ファイル名”といったように、この情報が撮影開始時におけるものであることを示すタグが記述される。また、軌跡ファイルには、同図中５行目に示すように、タイムコードが“００：００：０１：１０”といったように“時：分：秒：フレーム”として記述される。なお、このタイムコードは、テープ状記録媒体ＴＭに記録されるものと同じものである。
【００７９】
このようにして、軌跡ファイルには、撮影開始時における位置情報及び時間情報が記述される。
【００８０】
次に、軌跡ファイルには、同図中６行目及び７行目に示すように、所定時間経過後における位置情報及び時間情報が記述される。具体的には、軌跡ファイルには、同図中６行目に示すように、現在日付として“２０００／０７／２１／５”、現在時刻として“０９：１０：２５＋０９：００”、位置情報として“＋３５．６３２８１，＋１３９．７６８００，＋０００５１”が記述されるとともに、同図中７行目に示すように、タイムコードとして“００：０５：０１：２０”が記述される。
【００８１】
次に、軌跡ファイルには、同図中８行目及び９行目に示すように、さらに所定時間経過後における位置情報及び時間情報が記述される。具体的には、軌跡ファイルには、同図中８行目に示すように、現在日付として“２０００／０７／２１／５”、現在時刻として“０９：１５：３５＋０９：００”、位置情報として“＋３５．６３２１１，＋１３９．７７００８，＋０００４８”が記述されるとともに、同図中９行目に示すように、タイムコードとして“００：１０：０１：２０”が記述される。
【００８２】
次に、軌跡ファイルには、同図中１０行目乃至１２行目に示すように、さらに所定時間経過後における位置情報及び時間情報が記述される。具体的には、軌跡ファイルには、同図中１０行目に示すように、現在日付として“２０００／０７／２１／５”、現在時刻として“０９：２０：４５＋０９：００”、位置情報として“＋３５．６３１６１，＋１３９．７７２６９，＋０００４２”が記述されるとともに、同図中１２行目に示すように、タイムコードとして“００：１５：０１：３０”が記述される。なお、ここでは、同図中１１行目に示すように、“ＧＳＨＯＴ０１  ファイル名”といったように、この情報に対応するショットが良好なポイントのものであることを示すタグが記述されている。
【００８３】
次に、軌跡ファイルには、同図中１３行目及び１４行目に示すように、さらに所定時間経過後における位置情報及び時間情報が記述される。具体的には、軌跡ファイルには、同図中１３行目に示すように、現在日付として“２０００／０７／２１／５”、現在時刻として“０９：２５：５５＋０９：００”、位置情報として“＋３５．６３２２５，＋１３９．７７５０８，＋０００３８”が記述されるとともに、同図中１４行目に示すように、タイムコードとして“００：２０：０１：１０”が記述される。
【００８４】
次に、軌跡ファイルには、同図中１５行目及び１６行目に示すように、さらに所定時間経過後における位置情報及び時間情報が記述される。具体的には、軌跡ファイルには、同図中１５行目に示すように、現在日付として“２０００／０７／２１／５”、現在時刻として“０９：３０：０５＋０９：００”、位置情報として“＋３５．６３２８１，＋１３９．７７７１７，＋０００３５”が記述されるとともに、同図中１６行目に示すように、タイムコードとして“００：２５：０１：１０”が記述される。
【００８５】
次に、軌跡ファイルには、同図中１７行目及び１８行目に示すように、さらに所定時間経過後における位置情報及び時間情報が記述される。具体的には、軌跡ファイルには、同図中１７行目に示すように、現在日付として“２０００／０７／２１／５”、現在時刻として“０９：３５：２０＋０９：００”、位置情報として“＋３５．６３３１７，＋１３９．７７８８３，＋０００２８”が記述されるとともに、同図中１８行目に示すように、タイムコードとして“００：３０：０１：２０”が記述される。
【００８６】
最後に、軌跡ファイルには、同図中１９行目乃至２１行目に示すように、撮影終了時における位置情報及び時間情報が記述される。具体的には、軌跡ファイルには、同図中１９行目に示すように、現在日付として“２０００／０７／２１／５”、現在時刻として“０９：４０：３５＋０９：００”、位置情報として“＋３５．６３１８９，＋１３９．７８０３１，＋０００１４”が記述されるとともに、同図中２０行目に示すように、“ＳＴＯＰ  ＰＯＩＮＴ  ファイル名”といったように、この情報が撮影終了時におけるものであることを示すタグが記述されるとともに、さらに同図中２１行目に示すように、タイムコードとして“００：３５：０１：１０”が記述される。
【００８７】
データ記録再生システムは、このような軌跡ファイルを作成することができる。これにより、データ記録再生システムは、テープ状記録媒体ＴＭに記録された素材データと半導体記録媒体ＳＭに記録されたデータとの間を関連付けることができることができ、以下のようなアプリケーションの構築に寄与することができる。
【００８８】
まず、データ記録再生システムにおいては、上述したように、コンピュータ装置４０がカメラレコーダ１０に接続可能とされるが、このコンピュータ装置４０を用いた地図アプリケーションについて説明する。
【００８９】
コンピュータ装置４０は、各種アプリケーションプログラムを実行可能な環境とされており、図示しない表示画面に各種情報を表示する。コンピュータ装置４０は、指定された任意の地図情報を表示することが可能なソフトウェアを実行可能であり、半導体記録媒体ＳＭに記録された位置情報に基づいて、撮影場所を示す地図情報を表示することができる。例えば、コンピュータ装置４０は、カメラレコーダ１０におけるインターフェース部１５を介して、半導体記録媒体ＳＭに記録された軌跡ファイルを受信すると、この軌跡ファイルに記述された位置情報に基づいて、図６に示すように、位置情報に対応する地図情報を表示画面に表示し、撮影開始地点から撮影終了地点までの軌跡を地図上に表示することができる。なお、同図においては、星印で軌跡を表している。すなわち、コンピュータ装置４０は、カメラレコーダ１０によって移動撮影を行った際に半導体記録媒体ＳＭに記録された軌跡ファイルに基づいて、カメラレコーダ１０の移動軌跡を地図上に表現することができる。
【００９０】
このように、データ記録再生システムにおいては、軌跡ファイルを作成することにより、利用者は、カメラレコーダ１０に接続されたコンピュータ装置４０を用いて移動軌跡を随時確認することができる。データ記録再生システムにおいては、利用者は、この移動軌跡を撮影中に確認することもでき、また、後日任意に確認することもできる。勿論、データ記録再生システムにおいては、利用者が移動軌跡を後日確認する場合には、カメラレコーダ１０におけるインターフェース部１５を介して軌跡ファイルをコンピュータ４０に供給する必要はなく、コンピュータ４０が備えるドライブ装置に所望の半導体記録媒体ＳＭを装着し、再生させるようにしてもよい。データ記録再生システムは、このようなアプリケーションを構築することができ、利用者は、素材データに関する各種情報を有効利用することができる。
【００９１】
また、データ記録再生システムにおいては、他のアプリケーションとして、作成された軌跡ファイルを利用して、素材データの撮影記録を示すショットカレンダーを作成することもできる。ここでは、ショットカレンダーを作成する機器がコンピュータ装置４０であるものとして説明する。
【００９２】
コンピュータ装置４０は、軌跡ファイルに基づいて、例えば図７に示すようなショットカレンダーＳＣを作成することができる。すなわち、コンピュータ装置４０は、軌跡ファイルに記述された時間情報に基づいて、素材データがいつ撮影されたものであるかを示すショットカレンダーＳＣを作成することができる。このとき、コンピュータ装置４０は、複数の半導体記録媒体ＳＭに記録された複数の軌跡ファイルに基づいて、ショットカレンダーＳＣを作成することができる。なお、同図においては、素材データの撮影日として、ショットカレンダーＳＣにおいて黒丸を記して示している。コンピュータ装置４０は、素材データ毎にＵＭＩＤ等を介して関連付けられているメタデータを参照することにより、複数の軌跡ファイルに基づいて、撮影者毎にショットカレンダーＳＣを作成することができ、撮影者毎の撮影履歴を示す情報としてショットカレンダーＳＣを作成することができる。また、コンピュータ装置４０は、メタデータを参照することにより、複数の軌跡ファイルに基づいて、例えば、政治、経済、災害、事故、スポーツといった取材内容毎にショットカレンダーＳＣを作成することもでき、素材データを取材内容毎に分類してデータベースを構築することもできる。これにより、利用者は、イベント毎の素材データの検索が容易に行うことが可能となる。同図におけるショットカレンダーＳＣは、ある分類に属する素材データが、“＊＊＊年＊＊月”には、“第２週目の日曜日”、“第２週目の木曜日”、“第４週目の火曜日”及び“第５週目の水曜日”に撮影されたことを示している。コンピュータ装置４０は、このようなショットカレンダーＳＣを過去複数月にわたって作成することができる。
【００９３】
また、コンピュータ装置４０は、同図に示すように、ショットカレンダーＳＣに示された各撮影日について、当該撮影日の詳細な履歴を時刻表ＴＴとして作成することもできる。すなわち、ショットカレンダーＳＣは、軌跡ファイルに記述された時間情報に基づいて作成されるものであるため、コンピュータ装置４０は、各撮影日毎の時間情報を参照することにより、容易に時刻表ＴＴを作成することができる。同図における時刻表ＴＴは、“＊＊＊年＊＊月第２週目の日曜日”におけるものであり、撮影時刻を黒丸で示している。具体的には、同図における時刻表ＴＴは、午前０８：００から午後００：００までのある時刻に２回撮影が行われたことを示し、午後００：００から午後０４：００までのある時刻に１回撮影が行われたことを黒丸で示し、午後０４：００から午後０８：００までのある時刻に１回撮影が行われたことを黒丸で示している。
【００９４】
このように、データ記録再生システムにおいては、軌跡ファイルを作成することにより、利用者は、コンピュータ装置４０を用いてショットカレンダーＳＣや時刻表ＴＴを作成して撮影履歴を容易に把握することができ、テープ状記録媒体ＴＭ毎の記録履歴、すなわち、位置情報及びショットカレンダーＳＣ、時刻表ＴＴで表される時間情報も容易に管理することができる。なお、ショットカレンダーＳＣや時刻表ＴＴは、カメラレコーダ１０に接続されたコンピュータ装置４０によって作成するのではなく、軌跡ファイルを読み出すことが可能であり、当該ショットカレンダーＳＣや時刻表ＴＴを作成することが可能な機器であれば作成することができる。データ記録再生システムは、このようなアプリケーションを構築することができ、利用者は、素材データに関する各種情報を有効利用することができる。
【００９５】
以上説明したように、本発明の実施の形態として示すデータ記録再生システムは、カメラレコーダ１０によってテープ状記録媒体ＴＭに位置情報及び時間情報を含む撮影情報を記録することにより、利用者は、素材データの検索を行う際に、従来のように日時に基づく検索のみならず位置座標に基づく検索を行うことができ、素材データの特定を容易且つ確実に行うことができる。したがって、利用者は、素材データの検索を行う際に、所望の場所を指定して、その場所で起こった事象に対応する素材データやテープ状記録媒体ＴＭを、時間を越えて全て収集することが容易且つ確実に可能となる。
【００９６】
また、データ記録再生システムにおいては、カメラレコーダ１０によってテープ状記録媒体ＴＭに位置情報及び時間情報を含む撮影情報を記録することにより、利用者は、同一時刻に同一場所で撮影された素材データが一義的にしか存在しないことから、素材データを識別するための複雑な識別子を用いることなく、素材データの特定を行うことができ、所望の素材データを容易且つ確実に検索することが可能となる。
【００９７】
さらに、データ記録再生システムにおいては、カメラレコーダ１０によって撮影情報をフィールド単位で完結する形で生成してテープ状記録媒体ＴＭに記録することから、編集等によってカットされた場合であっても、撮影情報の消失、欠落を招くことがない。
【００９８】
さらにまた、データ記録再生システムにおいては、半導体記録媒体ＳＭにテープ状記録媒体ＴＭ毎の記録履歴である軌跡ファイルが自動的に作成され、軌跡ファイルに記述されている各撮影ポイントとテープ状記録媒体ＴＭに記録されている素材データとが、タイムコードによって関連付けられていることから、利用者は、半導体記録媒体ＳＭに記録されている位置情報を用いてコンピュータ装置４０等の表示画面を介して地図上に撮影位置を表示させたり、この地図上に表示された撮影位置からテープ状記録媒体ＴＭに記録されている対応する素材データを呼び出すことができる。すなわち、利用者は、テープ状記録媒体ＴＭを再生することなく、所望の位置座標に対応する素材データを特定して再生することができる。
【００９９】
また、データ記録再生システムにおいては、半導体記録媒体ＳＭにテープ状記録媒体ＴＭ毎の記録履歴である軌跡ファイルが自動的に作成されることから、利用者は、各撮影ポイントに対応する時間情報を用いてショットカレンダーＳＣを作成することができる。このショットカレンダーＳＣは、自動的に作成することができることから、利用者は、例えば放送局といった膨大な数のテープ状記録媒体ＴＭを使用する環境において、テープ状記録媒体ＴＭの撮影記録を示すファイルを秒単位の細かさで作成することが可能となり、このファイルに対する分類、整理、記入等の煩雑な作業を必要とせずに、素材データの管理を行うことができる。また、個々のテープ状記録媒体ＴＭは、非接触型メモリＩＣに記憶されているテープＩＤ番号情報によって識別可能とされ、利用者は、データベースを介した素材データの検索を行う際に、テープ状記録媒体ＴＭの検索のみならず、素材データのフィールド単位での検索を行うことが可能となる。
【０１００】
このように、データ記録再生システムは、利用者に対して高い利便を提供することができる。
【０１０１】
なお、本発明は、上述した実施の形態に限定されるものではなく、例えば、撮影された素材データや撮影情報を記録する媒体としては、テープ状記録媒体ＴＭ以外であってもよく、ハードディスク等のディスク状記録媒体やその他の形態の記録媒体であってもよい。
【０１０２】
このように、本発明は、その趣旨を逸脱しない範囲で適宜変更が可能であることはいうまでもない。
【０１０３】
【発明の効果】
以上詳細に説明したように、本発明にかかるデータ記録装置は、映像データ及び音声データを含む素材データを記録媒体に記録するデータ記録装置であって、少なくとも映像データ及び音声データの撮影に関する位置情報及び撮影に関する時間情報を取得する取得手段と、少なくとも位置情報及び時間情報を映像データ及び音声データとともに撮影情報として記録媒体に記録する記録手段とを備える。
【０１０４】
したがって、本発明にかかるデータ記録装置は、少なくとも取得手段によって取得した撮影に関する位置情報及び時間情報を、記録手段によって映像データ及び音声データとともに撮影情報として記録媒体に記録することにより、利用者が素材データの検索を行う際に、日時に基づく検索のみならず位置座標に基づく検索を行うことを可能とし、素材データの特定を容易且つ確実に行わせることができ、利用者に高い利便を提供することができる。
【０１０５】
また、このデータ記録装置は、記録手段によって位置情報及び時間情報を記録媒体に記録する際に、位置情報及び時間情報を記録媒体とは異なる他の記録媒体に記録する他の記録手段を備える。
【０１０６】
したがって、本発明にかかるデータ記録装置は、記録手段によって記録媒体に記録する位置情報及び時間情報と同じ位置情報及び時間情報を、他の記録手段によって他の記録媒体にも記録することにより、記録媒体に記録された素材データと他の記録媒体に記録されたデータとの間を関連付けることができ、素材データに関する各種情報の有効利用に供することができ、また、素材データの検索や管理に資する各種アプリケーションを利用者に提供することができ、利用者にこれらの各種情報及び各種アプリケーションを利用させることにより、容易且つ確実に素材データの検索や管理を行わせることができる。
【０１０７】
また、上述した目的を達成する本発明にかかるデータ記録方法は、映像データ及び音声データを含む素材データを記録媒体に記録するデータ記録方法であって、少なくとも映像データ及び音声データの撮影に関する位置情報及び撮影に関する時間情報を取得する取得工程と、少なくとも位置情報及び時間情報を映像データ及び音声データとともに撮影情報として記録媒体に記録する記録工程とを備える。
【０１０８】
したがって、本発明にかかるデータ記録方法は、少なくとも取得した撮影に関する位置情報及び時間情報を、映像データ及び音声データとともに撮影情報として記録媒体に記録することにより、利用者が素材データの検索を行う際に、日時に基づく検索のみならず位置座標に基づく検索を行うことを可能とし、素材データの特定を容易且つ確実に行わせることが可能となり、利用者に高い利便を提供することが可能となる。
【０１０９】
また、このデータ記録方法は、記録工程にて位置情報及び時間情報を記録媒体に記録する際に、位置情報及び時間情報を記録媒体とは異なる他の記録媒体に記録する他の記録工程を備える。
【０１１０】
したがって、本発明にかかるデータ記録方法は、記録媒体に記録する位置情報及び時間情報と同じ位置情報及び時間情報を、他の記録媒体にも記録することにより、記録媒体に記録された素材データと他の記録媒体に記録されたデータとの間を関連付けることが可能となり、素材データに関する各種情報の有効利用に供することができ、また、素材データの検索や管理に資する各種アプリケーションを利用者に提供することができ、利用者にこれらの各種情報及び各種アプリケーションを利用させることにより、容易且つ確実に素材データの検索や管理を行わせることが可能となる。
【図面の簡単な説明】
【図１】本発明の実施の形態として示すデータ記録再生システムの構成を説明するブロック図である。
【図２】ＨＤＣＡＭフォーマットにおけるビデオ補助データ領域の構造を説明する図である。
【図３】撮影情報におけるデータ種別で表現可能な位置情報を説明するために、位置情報が得られる具体的な状況を説明する図であって、（Ａ）は、映像データ及び音声データを撮影してその場でテープ状記録媒体に記録する状況を示し、（Ｂ）は、同データ記録再生システムが備えるカメラレコーダに対して相対的に移動するターゲットを撮影してテープ状記録媒体に記録する状況を示し、（Ｃ）は、カメラレコーダを車載して移動撮影する状況を示す図である。
【図４】素材データのハンドリングを示す図であって、同データ記録再生システムによって記録された素材データを３次元空間によって概念的に表現するための図である。
【図５】カメラレコーダによって作成される軌跡ファイルのフォーマットを説明する図である。
【図６】地図アプリケーションの例を説明する図であって、同データ記録再生システムが備えるコンピュータ装置の表示画面に表示される地図情報を示す図である。
【図７】同データ記録再生システムが備えるコンピュータ装置によって作成されるショットカレンダー及び時刻表を説明する図である。
【図８】従来の素材データのストック状況を概念的に説明する図である。
【符号の説明】
１０  カメラレコーダ、  １１  記録再生制御部、  １２  テープ状記録媒体記録再生部、  １３  撮影制御部、  １４  半導体記録媒体記録再生部、  １５インターフェース部、  ２０  位置情報取得部、  ２１  内部アンテナ部、  ２２  外部アンテナ部、  ２３  位置算出部、  ２４  方位センサ、  ２５  データ混合部、  ３０  撮影部、  ４０  コンピュータ装置、  ＩＣ  非接触型メモリ、  ＳＣ  ショットカレンダー、  ＳＭ  半導体記録媒体、  ＴＭ  テープ状記録媒体、  ＴＴ  時刻表
【図１】
0003937832.tif 000003
【図２】
0003937832.tif 000004
【図３】
0003937832.tif 000005
【図４】
0003937832.tif 000006
【図５】
0003937832.tif 000007
【図６】
0003937832.tif 000008
【図７】
0003937832.tif 000009
【図８】
0003937832.tif 000010